(57)【要約】【課題】  ケース内に複数種類のパーツを収容することにより、興趣性に富んだアクセサリーを生成できるアクセサリー生成玩具を提供する。【解決手段】  第１の載置部材３１に第１のアクセサリーパーツ５３１を保持した第１のプレート５３を載置するとともに、第２の載置部材３２に第２のアクセサリーパーツ５４１を保持した第２のプレート５４を載置し、第１のプレート５３および第２のプレート５４を回転させることにより、所望の第１のアクセサリーパーツ５３１および第２のアクセサリーパーツ５４１を選択して共通領域２２に位置決めすることができる。そして、位置決めした第１のアクセサリーパーツ５３１および第２のアクセサリーパーツ５４１を、押圧部材４０により切り取って収容ケース５１に収容するので、興趣性の高いアクセサリーを生成することができる。【選択図】  図１
2013078565.tif 000002
【特許請求の範囲】
【請求項１】
第１のアクセサリーパーツが切り取り可能に設けられた第１のプレートを載置可能な第１の載置部材と、
第２のアクセサリーパーツが切り取り可能に設けられた第２のプレートを載置可能であって、前記第１の載置部材と一部重なる第２の載置部材と、
前記第１の載置部材および前記第２の載置部材を支持する基台と、
前記第１の載置部材と前記第２の載置部材とが重なる共通領域に位置する前記第１のプレートに保持された第１のアクセサリーパーツおよび前記第２のプレートに保持された第２アクセサリーパーツを切り取る押圧部材と、有することを特徴とするアクセサリー生成玩具。
【請求項２】
前記第１の載置部材および前記第２の載置部材の少なくとも一方が、回転可能であることを特徴とする請求項１に記載のアクセサリー生成玩具。
【請求項３】
前記第１の載置部材および前記第２の載置部材の少なくとも一方が透明であることを特徴とする請求項１または請求項２に記載のアクセサリー生成玩具。
【請求項４】
前記第１の載置部材および前記第２の載置部材の少なくとも一方は前記基台に対し着脱可能であることを特徴とする請求項１ないし請求項３のいずれか１項に記載のアクセサリー生成玩具。
【請求項５】
前記第１の載置部材および前記第２の載置部材の縁部には、位置決めのための複数の溝が形成されていることを特徴とする請求項１ないし請求項４のいずれか１項に記載のアクセサリー生成玩具。
【請求項６】
前記複数の溝は、前記第１の載置部材および前記第２の載置部材を回転させるための指掛部でもあることを特徴とする請求項１ないし請求項５のいずれか１項に記載のアクセサリー生成玩具アクセサリー生成玩具。
【請求項７】
前記共通領域に、前記第１のアクセサリーパーツおよび前記第２のアクセサリーパーツを収容する第１の収容ケースが収納される収納部を形成し、
前記第１の載置部材および前記第２の載置部材には、前記第１の収容ケースが挿通可能な少なくとも１個の開口部または切り欠きを有することを特徴とする請求項１ないし請求項６のいずれか１項に記載のアクセサリー生成玩具。
【請求項８】
前記第１の載置部材および前記第２の載置部材に、切り取られた前記第１のアクセサリーパーツおよび前記第２のアクセサリーパーツが挿通可能な貫通孔を設けたことを特徴とする請求項１ないし請求項７のいずれか１項に記載のアクセサリー生成玩具。
【請求項９】
前記第１のアクセサリーパーツおよび前記第２のアクセサリーパーツは、各々前記第１のプレートおよび前記第２のプレートの縁部近傍に保持されていることを特徴とする請求項１に記載のアクセサリー生成玩具。
【請求項１０】
前記第１のアクセサリーパーツは円周方向に設けられた支持部にて保持されており、
前記第２のアクセサリーパーツは半径方向に設けられた支持部にて保持されていることを特徴とする請求項１または請求項９に記載のアクセサリー生成玩具。
【請求項１１】
前記押圧部材は、前記第１のアクセサリーパーツおよび前記第２のアクセサリーパーツを前記第１のプレートおよび前記第２のプレートから切り取る切取り位置と、切り取られた前記第１のアクセサリーパーツおよび前記第２のアクセサリーパーツを取り出す取出し位置との間を回動可能に構成されていることを特徴とする請求項１に記載のアクセサリー生成玩具。
【請求項１２】
前記押圧部材は、前記取出し位置に回動させることにより、前記収納部から前記第１の収容ケースを取り出す取出し部材を有することを特徴とする請求項１または請求項１１に記載のアクセサリー生成玩具。
【請求項１３】
前記押圧部材は、前記第１のプレートから前記第１のアクセサリーパーツを切り取る第１の押圧部と、前記第２のプレートから前記第２のアクセサリーパーツを切り取る第２の押圧部とを備えたパーツ切取り部材を有することを特徴とする請求項１、請求項１１、請求項１２のいずれか１項に記載のアクセサリー生成玩具。
【請求項１４】
第１の収容ケースを第１の載置部材と第２の載置部材とが重なる共通領域に設けられている収納部にセットし、
前記第１の載置部材に第１のアクセサリーパーツを保持した第１のプレートを載置するとともに、前記第２の載置部材に第２のアクセサリーパーツを保持した第２のプレートを載置し、
前記第１のプレートおよび前記第２のプレートを回転させて、所望の第１のアクセサリーパーツおよび第２のアクセサリーパーツを前記収納部の上に位置決めし、
押圧部材を切り取り位置に回動させて、前記第１のアクセサリーパーツおよび前記第２のアクセサリーパーツを切り取って前記第１の収容ケース内に収容し、
前記第１の収容ケースに第２の収容ケースを被せて接合することを特徴とするアクセサリーの生成方法。
【発明の詳細な説明】
【技術分野】
【０００１】
本発明は、複数種類のアクセサリーパーツを収容ケースに収容したアクセサリーを生成するアクセサリー生成玩具およびアクセサリーの生成方法に関するものである。
【背景技術】
【０００２】
従来より、二種類のアクセサリーパーツを用いてアクセサリーを生成するアクセサリー生成玩具が知られている（例えば、特許文献１参照）。
図８に示すように、特許文献１に記載のアクセサリー生成玩具１００は、アクセサリーパーツであるリング同士を連結具を用いて連結させることで、アクセサリーを生成するものである。
アクセサリー生成玩具１００は、ユーザがアクセサリーを生成する際に矢印Ａ方向に押圧操作する押圧操作部１０１、アクセサリーの生成に用いるリングを供給するリング供給部１０２、リング同士を連結するための連結具を供給する連結具供給部１０３を有する。
【０００３】
押圧操作部１０１の下方には、リング供給部１０２より供給されたリングを、連結位置まで搬送するためのリング搬送部１０４を有する。リング搬送部１０４は、リング載置円板１０５を備えており、押圧操作部１０１が押圧されることによりリング載置円板１０５が回転して、リング供給部１０２より供給されたリングを連結位置まで搬送する。
【０００４】
また、リング搬送部１０４に隣接して、連結具供給部１０３より供給された連結具を連結位置まで搬送するための連結具搬送部１０６を有する。連結具搬送部１０６には、連結具載置円板（図示省略）が設けられており、リング載置円板１０５の回転と同期して回転することにより、連結具を連結位置まで搬送する。
連結位置において連結具により連結されたリングは、リング搬送部１０４の開口部１０７より排出される。
【０００５】
これにより、ユーザが押圧操作部１０１を１回押圧操作するごとに、連結具によりリング同士が連結され、開口部１０７より、連結されたリングが排出されることとなる。
【先行技術文献】
【特許文献】
【０００６】
【特許文献１】特開２０１０−１８４０４４号公報
【発明の概要】
【発明が解決しようとする課題】
【０００７】
しかしながら、前述した従来のアクセサリー生成玩具においては、二つのリングを連結部により連結するものであり、次々にリングを連結することによりチェーン状のアクセサリーを生成することができるものの、いっそう興趣性に富んだアクセサリーの生成ができるアクセサリー生成玩具が望まれていた。
【０００８】
そこで、本発明は、上記の問題を鑑みてなされたものであり、ケース内に複数種類、特に二種類のパーツを収容することにより、興趣性に富んだアクセサリーを生成できるアクセサリー生成玩具を提供することを目的とする。
【課題を解決するための手段】
【０００９】
上記の目的を達成するために本発明に係るアクセサリー生成玩具は、以下のような構成を有する。
第１のアクセサリーパーツが切り取り可能に設けられた第１のプレートを載置可能な第１の載置部材と、
第２のアクセサリーパーツが切り取り可能に設けられた第２のプレートを載置可能であって、前記第１の載置部材と一部重なる第２の載置部材と、
前記第１の載置部材および前記第２の載置部材を支持する基台と、
前記第１の載置部材と前記第２の載置部材とが重なる共通領域に位置する前記第１のプレートに保持された第１のアクセサリーパーツおよび前記第２のプレートに保持された第２のアクセサリーパーツを切り取る押圧部材と、を有することを特徴とする。
【発明の効果】
【００１０】
本発明に係るアクセサリー生成玩具によれば、第１の載置部材に第１のアクセサリーパーツを保持した第１のプレートを載置するとともに、第２の載置部材に第２のアクセサリーパーツを保持した第２のプレートを載置し、第１のプレートおよび第２のプレートを回転させることにより、所望の第１のアクセサリーパーツおよび第２のアクセサリーパーツを選択して共通領域に位置決めすることができる。そして、位置決めした第１のアクセサリーパーツおよび第２のアクセサリーパーツを、押圧部材により切り取って収容ケースに収容するので、興趣性の高いアクセサリーを生成することができる。
【図面の簡単な説明】
【００１１】
【図１】本発明にかかる第１実施形態のアクセサリー生成玩具の斜視図である。
【図２】押圧部材の下面を示す斜視図である。
【図３】基台の裏側を示す底面図である。
【図４】（Ａ）は第１のプレートの一例を示す平面図であり、（Ｂ）は第２のプレートの一例を示す平面図である。
【図５】（Ａ）は本発明のアクセサリー生成玩具で生成できるアクセサリーの一例を示す斜視図であり、（Ｂ）は収納ケースの断面図である。
【図６】（Ａ）ないし（Ｅ）は本発明にかかる実施形態のアクセサリー生成方法の工程図である。
【図７】本発明にかかる第２実施形態のアクセサリー生成玩具の斜視図である。
【図８】従来のアクセサリー生成玩具の斜視図である。
【発明を実施するための形態】
【００１２】
（第１実施形態）
以下、本発明に係る好適な実施の形態について、図面を参照しながら詳細に説明する。
図１に示すように、本発明にかかる第１実施形態のアクセサリー生成玩具１０は、全体長円形状の基台２０を有し、基台２０の上面２１には、円板状の第１の載置部材３１と第２の載置部材３２を有する。また、基台２０の上面２１には、押圧部材４０を回動可能に有する。なお、押圧部材４０は基台２０に設けずに別体として構成しても良い。
【００１３】
基台２０の上面２１において、第１の載置部材３１と第２の載置部材３２とは一部が重なるように配置されており、両載置部材３１，３２が重なる共通領域２２が形成されている。なお、第１の載置部材３１と第２の載置部材３２とは一部が重なるように略平行に配置されていることが好ましい。基台２０の上面２１における共通領域２２には、後述するアクセサリー５０を形成する収容ケース５１（図５（Ｂ）参照）のうちの第１の収容ケース５２を収納する収納部である収納凹部２３が設けられている。
収納凹部２３は、第１の収容ケース５２の形状に対応した形状となっており、第１の収容ケース５２を収納した際に、第１の載置部材３１の回転を妨げないように、基台２０の上面２１から一定量以上突出しないように構成されている。
【００１４】
第１の載置部材３１は、基台２０の上面２１において、中心軸３１１を中心に回転可能に設けられている。なお、中心軸３１１の周囲には、例えば一部を切り欠いた円形等の特定形状をした中心凸部３１２が、基台２０の上面２１から突出して設けられている。
【００１５】
第２の載置部材３２は、第１の載置部材３１と同一面上に設けられており、共通領域２２を切り欠いた円板の一部から構成されている。中央には、上方に突出した円形の中心凸部３２１が設けられている。第２の載置部材３２は、回転しない。  
従って、第１の載置部材３１のみが回転可能であり、第２の載置部材３２は、円板の一部を切り欠いた形状であって、基台２０に固定されている。
【００１６】
第１の載置部材３１は全体円板状をしており、外周部付近には、第１の収容ケース５２（図５（Ｂ）参照）が挿通可能な少なくとも１個の開口部３３を有する。なお、第１の収容ケース５２が挿通可能であれば開口部とせずに切り欠きとして構成しても良い。
これにより、第１の収容ケース５２を開口部３３から挿入して、基台２０の上面２１の収納凹部２３に収納することができる。
第１の載置部材３１の外周部付近で収納凹部２３の上に位置決め可能な同心円上には、後述する第１のプレート５３（図４参照）から切り取られたアクセサリーパーツ５３１（図４参照）が挿通可能な貫通孔３４が複数個設けられている。
【００１７】
また、第１の載置部材３１の縁部３６の外周面には、位置決めのための複数の溝３５が形成されている。溝３５は、第１の載置部材３１の外周に沿って等間隔で設けられており、中心側に向かって例えば半円形状で凹設されている。この溝は第１の載置部材３１の回転とともに、基台２１に設けられた少なくとも１つの突部（図示せず）と順次嵌合することにより位置決めがなされる。
従って、ユーザは、溝３５に指を掛けて、第１の載置部材３１を容易に回転させることができる。なお、位置決めが可能であれば溝に限らず、例えば突起であっても良い。この場合、突起は第１の載置部材３１の外周に沿って等間隔で設けられ、中心側に向かって例えば半円形状に凸設されることになる。
縁部３６は第１の載置部材３１から上方へ突出して設けられており、縁部３６の内周面には、第１のプレート５３を位置決めするための位置決め凸部３７が、中心側へ突出して設けられている。
【００１８】
基台２０の外周部における第１の載置部材３１と第２の載置部材３２との間には、押圧部材４０が設けられている。
押圧部材４０は、第１の載置部材３１と第２の載置部材３２とが重なる共通領域２２に位置する第１のプレート５３から第１のアクセサリーパーツ５３１を切り取るとともに、第２のプレート５４（図４参照）から第２アクセサリーパーツ５４１（図４参照）を切り取るものである。なお、切り取るとは、切り離す、切り抜く、取り外す、押し抜く、押し取る、押し外す、等の「ある物からある物を分離させる」ことを意味する言葉を包含するものである。
【００１９】
押圧部材４０は、ヒンジ部４１を介して基台２０の上面２１に回動可能に取り付けられるレバー本体４２を有しており、レバー本体４２は、切り取り位置と取出し位置との間で回動可能となっている。
ここで、切り取り位置とは、第１のプレート５３および第２のプレート５４から第１のアクセサリーパーツ５３１および第２のアクセサリーパーツ５４１を切り取る位置であり、下方へ回動させた位置を示す（図６（Ｄ）参照）。また、取出し位置とは、収納凹部２３に収納されている第１の収容ケース５２を取り出す位置を言い、図６（Ｄ）に示す下方とは略対称の下方（押圧部材４０の先端が基台２０から離れる方向）へ回動した位置である。
【００２０】
図２に示すように、押圧部材４０のレバー本体４２の下面（一方面）には、パーツ切取り部材４３を有する。パーツ切取り部材４３は、第１の押圧部４３１と第２の押圧部４３２を有する。第１の押圧部４３１は、第１の載置部材３１に載置された第１のプレート５３における支持部５３２を切断して、第１のアクセサリーパーツ５３１を切り取る。第２の押圧部４３２は、第２の載置部材３２に載置された第２のプレート５４の支持部５４２を切断して、第２のアクセサリーパーツ５４１を切り取る。
なお、パーツ切取り部材４３は、切り取られた第１のアクセサリーパーツ５３１および第２のアクセサリーパーツ５４１を収容した第１の収容ケース５２に、第２の収容ケース５５（図５（Ｂ）参照）を被せて取り付ける際にも用いられる。  
【００２１】
また、図３に示すように、基台２０の裏側には、収納凹部２３から第１の収容ケース５２を取り出す取出し部材２４を有する。取出し部材２４は、基台２０の裏側中央に設けられているガイド溝２５に沿って図３中上下方向に移動可能に保持されており、常時はスプリング２６により図３中上端位置に位置する。
取出し部材２４は、押圧部材４０の回動に連動して移動し、押圧部材４０を取出し位置に回動させることにより、スプリング２６の付勢力に抗して下方（図３中矢印Ａ方向）へ移動する（図３に示す状態）。
取出し部材２４は、上面（基台２０の表側面）が上側に凸に湾曲しており、往復移動することにより、収納凹部２３に収納されている第１の収容ケース５２の下面を押し上げる。これにより、第１の収容ケース５２を取り出すことができる。
【００２２】
図４（Ａ）には、第１のプレート５３の一例が示されている。第１のプレート５３は、例えば紙製であり、表面にアクセサリーとなるデザインが印刷されている。第１のプレート５３は、全体円板状をしており、縁部近傍には同心円上に複数個の第１のアクセサリーパーツ５３１が設けられている。各第１のアクセサリーパーツ５３１は、円周方向に設けられた一対の支持部５３２により切り取り可能に支持されている。
従って、一対の支持部５３２を切断することにより、第１のアクセサリーパーツ５３１を切り取ることができる。
【００２３】
また、第１のプレート５３の外周部には、第１の載置部材３１に設けられている開口部３３の形状に対応した切欠き５３４が設けられており、第１の収容ケース５２が挿嵌可能となっている。
第１のプレート５３の中央には、第１の載置部材３１の中心凸部３１２の形状に対応した開口５３３が設けられている。
従って、開口５３３を第１の載置部材３１の中心凸部３１２に外嵌することにより、第１のプレート５３は第１の載置部材３１に位置決めされる。  
【００２４】
図４（Ｂ）には、第２のプレート５４の一例が示されている。第２のプレート５４は、例えば樹脂で形成されている。第２のプレート５４は、全体円板状をしており、縁部近傍には同心円上に複数個の第２のアクセサリーパーツ５４１が設けられている。各第２のアクセサリーパーツ５４１は、半径方向に設けられた一対の支持部５４２により切り取り可能に支持されている。
従って、一対の支持部５４２を切断することにより、第２のアクセサリーパーツ５４１を切り取ることができる。
【００２５】
また、第２のプレート５４の外周部には、第１の載置部材３１に設けられている開口部３３の形状に対応した切欠き５４４が設けられており、第１の収容ケース５２が挿嵌可能となっている。
第２のプレート５４の中央には、第２の載置部材３２の中心凸部３２１の形状に対応した軸受け部５４３が設けられている。
従って、軸受け部５４３を第２の載置部材３２の中心凸部３２１に外嵌することにより、第２のプレート５４は第２の載置部材３２に取り付けられる。なお、ここでは、第２のプレート５４は、第２の載置部材３２に対して回転可能に取り付けられる。
【００２６】
図５（Ａ）には、生成されるアクセサリー５０の例が示されている。図５（Ｂ）に示すように、アクセサリー５０は、第１の収容ケース５２と第２の収容ケース５５からなる透明な収容ケース５１の中に、第１のプレート５３から切り取った第１のアクセサリーパーツ５３１および第２のプレート５４から切り取った第２のアクセサリーパーツ５４１を収容したものである。
図５（Ａ）においては、収容ケース５２の中に、第１のアクセサリーパーツ５３１としての水玉模様の台紙と、第２のアクセサリーパーツ５４１としての星形のパーツを収容している。
このようなアクセサリー５０は、例えば、ストラップに付けたり、ブレスレットに付けたりすることができる。
【００２７】
次に、図６に基づいて、アクセサリーの生成方法について説明する。
まず、図６（Ａ）に示すように、第１の収容ケース５２を、基台２０において第１の載置部材３１と第２の載置部材３２とが重なる共通領域２２に位置決めされている第１のプレート５３の開口５３３から挿入して、収納凹部２３に収納する。
次に、図６（Ｂ）に示すように、使用する第１のアクセサリーパーツ５３１を有する第１のプレート５３および第２のアクセサリーパーツ５４１を有する第２のプレート５４を選択する。
【００２８】
図６（Ｃ）に示すように、選択した第１のプレート５３を第１の載置部材３１にセットし、第２のプレート５４を第１のプレート５３の上から第２の載置部材３２にセットする。
そして、第１のプレート５３を回転させて使用する第１のアクセサリーパーツ５３１を収納凹部２３の真上に位置決めするとともに、第２のプレート５４を回転させて使用する第２のアクセサリーパーツ５４１を収納凹部２３の真上に位置決めする。
【００２９】
次いで、図６（Ｄ）に示すように、押圧部材４０を下方（切取り位置）へ回動させて、パーツ切取り部材４３により第１のアクセサリーパーツ５３１および第２のアクセサリーパーツ５４１を切り取る。これにより、第１のアクセサリーパーツ５３１および第２のアクセサリーパーツ５４１は落下して、収納凹部２３に収納されている第１の収容ケース５２に収容される。
次に、押圧部材４０を上方へ退避させて、第１の収容ケース５２の上に第２の収容ケース５５を載せ、再度、押圧部材４０を下方へ回動させて第２の収容ケース５５と第１の収容ケース５２とを接合し、収容ケース５１を形成する。
最後に、図６（Ｅ）に示すように、押圧部材４０を取出し位置に回動させて取出し部材２４を移動させ、生成されたアクセサリー５０を取り出す。
【００３０】
以上、説明した本発明の第１実施形態に係るアクセサリー生成玩具１０では、第１の載置部材３１に第１のアクセサリーパーツ５３１を保持した第１のプレート５３を載置するとともに、第２の載置部材３２に第２のアクセサリーパーツ５４１を保持した第２のプレート５４を載置し、第１のプレート５３および第２のプレート５４を回転させる。これにより、所望の第１のアクセサリーパーツ５３１および第２のアクセサリーパーツ５４１を選択して共通領域２２に位置決めすることができる。
そして、位置決めした第１のアクセサリーパーツ５３１および第２のアクセサリーパーツ５４１を、押圧部材４０により切り取って収容ケース５１に収容するので、興趣性の高いアクセサリーを生成することができる。
【００３１】
また、第１の載置部材３１および第２の載置部材３２の一方（ここでは第１の載置部材３１）が、回転可能であるので、載置した第１のプレート５３を、容易に回転させることができる。
【００３２】
また、第１の載置部材３１の縁部３６には、位置決めのための複数の溝３５が形成されているので、第１の載置部材３１を回転させて、位置決めが容易にできる。
【００３３】
また、複数の溝３５は、第１の載置部材３１を回転させるための指掛部でもあるので、第１の載置部材３１を容易に回転させることができる。
【００３４】
また、基台２０における共通領域２２に設けた収納凹部２３に、第１のアクセサリーパーツ５３１および第２のアクセサリーパーツ５４１を収容する第１の収容ケース５１を収納しておく。切り取られた第１のアクセサリーパーツ５３１および第２のアクセサリーパーツ５４１は、第１の載置部材３１に設けた開口部３３から落下して、収納凹部２３の第１収容ケース５１に収容される。
【００３５】
また、第１の載置部材３１に、切り取られた第１のアクセサリーパーツ５３１および第２のアクセサリーパーツ５４１が通過可能な貫通孔３４を設けたので、貫通孔３４の上に位置するアクセサリーパーツ５３１，５４１は、切り取られた後に、貫通孔３４を通って、落下する。
【００３６】
また、第１のアクセサリーパーツ５３１および第２のアクセサリーパーツ５４１は、各々第１のプレート５３および第２のプレート５４の縁部３６の近傍に保持されているので、多くのアクセサリーパーツ５３１，５４１を保持することができる。
【００３７】
また、第１のアクセサリーパーツ５３１は円周方向に設けられた支持部５３２にて保持されており、第２のアクセサリーパーツ５４１は半径方向に設けられた支持部５４２にて保持されているので、切り取り方向が異なる。
このため、共通領域２２において、第１のプレート５３の支持部５３２と第２のプレート５４の支持部５４２が重ならないので、容易に切り取ることができる。
【００３８】
また、押圧部材４０は、アクセサリーパーツ５３１，５４１を切り取る切取り位置と、切り取られたアクセサリーパーツ５３１，５４１を取り出す取出し位置との間で、回動可能に設けられているので、押圧部材４０を回動させることにより、アクセサリーパーツ５３１，５４１の切り取りおよび取り出しを行うことができる。
【００３９】
また、押圧部材４０を取出し位置に回動させることにより、取出し部材２４が移動するので、第１の収容ケース５１を収納凹部２３から容易に取り出すことができる。
【００４０】
さらに、押圧部材４０を回動させることにより、パーツ切取り部材４３の第１の押圧部４３１が、第１のプレート５３から第１のアクセサリーパーツ５３１を切り取るとともに、第２のプレート５４から第２のアクセサリーパーツ５４１を切り取る。
【００４１】
（第２実施形態）
次に、本発明に係る第２実施形態について説明する。
なお、前述した第１実施形態に係るアクセサリー生成玩具１０と共通する部位には同じ符号を付して、重複する説明を省略することとする。
前述した第１実施形態に係るアクセサリー生成玩具１０では、第１の載置部材３１のみが回転可能な場合を例示したが、第２実施形態に係るアクセサリー生成玩具１０Ｂでは、第２の載置部材３２も回転可能とする。
【００４２】
図７に示すように、第２実施形態に係るアクセサリー生成玩具１０Ｂでは、第１の載置部材３１と第２の載置部材３２Ｂは、上下に重なるように設けられる。従って、上側に位置する第２の載置部材３２Ｂは、着脱可能に設ける。
また、上側に位置する第２の載置部材３２Ｂは、透明にするのが望ましい。これにより、共通領域２２において両載置部材３１，３２Ｂの位置等を視認することができ、位置決めが容易になる。
なお、第２の載置部材３２Ｂにも、第１の載置部材３１と同様に、貫通孔３４Ｂおよび開口部３３Ｂが設けられている。
【００４３】
以上、説明した第２実施形態に係るアクセサリー生成玩具１０Ｂによれば、前述した第１実施形態に係るアクセサリー生成玩具１０と同様に、興趣性に富んだアクセサリーを生成できる。
【００４４】
また、第１の載置部材３１および第２の載置部材３２Ｂの両方が回転可能であるので、載置した第１のプレート５３および第２のプレート５４を、容易に回転させることができる。
【００４５】
また、上側に位置する第２の載置部材３２Ｂが透明であるので、第１の載置部材３１および第２の載置部材３２Ｂが重なる共通領域２２においても、両方の載置部材３１，３２Ｂを見ることができ、容易に位置決めできる。
【００４６】
また、第２の載置部材３２Ｂは着脱可能であるので、下側に位置する第１の載置部材３１に、容易に第１のプレート５３を載置することができる。
【００４７】
また、第１の載置部材３１および第２の載置部材３２Ｂに、切り取られた第１のアクセサリーパーツ５３１および第２のアクセサリーパーツ５４１が通過可能な貫通孔３４、３４Ｂを設けたので、共通領域２２に位置する貫通孔３４、３４Ｂの上に位置するアクセサリーパーツ５３１，５４１は、切り取られた後に、貫通孔３４、３４Ｂを通って、落下する。
【００４８】
以上、本発明の好ましい実施形態について詳述したが、本発明に係るアクセサリー生成玩具１０，１０Ｂは、上述した各実施形態に限定されるものではなく、特許請求の範囲に記載された本発明の要旨の範囲内において、種々の変形、変化が可能である。
【符号の説明】
【００４９】
１０  アクセサリー生成玩具
２０  基台
２２  共通領域
２３  収納凹部（収納部）
２４  取出し部材
３１  第１の載置部材
３２  第２の載置部材
３３，３３Ｂ  開口部
３４，３４Ｂ  貫通孔
３５  溝
３６  縁部
４０  押圧部材
４３  パーツ切取り部材
４３１  第１の押圧部
４３２  第２の押圧部
５２  第１の収容ケース
５３  第１のプレート
５３１  第１のアクセサリーパーツ
５３２，５４２  支持部
５４  第２のプレート
５４１  第２のアクセサリーパーツ
５５  第２の収容ケース
【図１】
2013078565.tif 000003
【図２】
2013078565.tif 000004
【図３】
2013078565.tif 000005
【図４】
2013078565.tif 000006
【図５】
2013078565.tif 000007
【図６】
2013078565.tif 000008
【図７】
2013078565.tif 000009
【図８】
2013078565.tif 000010